(57)【要約】      （修正有）【課題】近距離無線通信（ＮＦＣ）プロトコル及びＮＦＣロジックを使用して溶接作業及び溶接システムをキャリブレーションするためのシステム、および溶接システムを備える複数のコンポーネントをネットワーク接続、キャリブレーション、及びリンクするために、ＮＦＣロジック及びＮＦＣタグを使用するシステムを提供する。【解決手段】溶接機２０２と、ワイヤフィーダ２３０と、溶接トーチ２４０と、溶接機２０２に取り付けられ、溶接機のキャリブレーション・データを示す第１信号を生成する第１ＮＦＣタグ２０６と、ワイヤフィーダ２３０に取り付けられ、ワイヤフィーダのキャリブレーション・データを示す第２信号を生成する第２ＮＦＣタグ２３６と、溶接トーチ２４０に取り付けられ、溶接トーチのキャリブレーション・データを示す第３信号を生成する第３ＮＦＣタグ２４８とを備える。【選択図】図２
0003204855.tif 000002
【実用新案登録請求の範囲】
【請求項１】
溶接システムであって、
溶接機、
ワイヤフィーダ、
溶接トーチ、
前記溶接機に取り付けられ、前記溶接機のキャリブレーション・データを示す第１信号を生成する第１ＮＦＣタグ、
前記ワイヤフィーダに取り付けられ、前記ワイヤフィーダのキャリブレーション・データを示す第２信号を生成する第２ＮＦＣタグ、及び
前記溶接トーチに取り付けられ、前記溶接トーチのキャリブレーション・データを示す第３信号を生成する第３ＮＦＣタグ、
を有する、
溶接システム。
【請求項２】
前記第１ＮＦＣタグがパッシブである、又は前記第１ＮＦＣタグがアクティブである、請求項１に記載の溶接システム。
【請求項３】
溶接ワイヤを前記溶接トーチに向けて押す又は前記溶接トーチから引っ張るためのモータを更に備える、請求項１又は２に記載の溶接システム。
【請求項４】
パッシブである第４ＮＦＣタグが前記モータに取り付けられ、前記モータのキャリブレーション・データを示す第４信号を生成する、請求項３に記載の溶接システム。
【請求項５】
前記溶接機の前記キャリブレーション・データが、ポータブル・コンピューティング・デバイスを使用して前記ＮＦＣタグに書き込まれる、請求項１から４のいずれか一項に記載の溶接システム。
【請求項６】
遮蔽ガス源を更に備える、請求項１から５のいずれか一項に記載の溶接システム。
【請求項７】
第４ＮＦＣタグが前記遮蔽ガス源に取り付けられ、前記遮蔽ガス源のキャリブレーション・データを示す第４信号を生成する、請求項６に記載の溶接システム。
【考案の詳細な説明】
【技術分野】
【０００１】
本考案の一般概念は、特にアーク溶接、さらに具体的には溶接関連装置をネットワーク接続、構成、キャリブレーション、及び識別するためのシステム及び方法に関連する。さらに具体的には、本考案は、請求項１、８、及び１２のプリアンブルにそれぞれ記載された、溶接システム、溶接システムのコンポーネントをキャリブレーションする方法、及びネットワーク上の溶接デバイスのアドレスを割り当てる方法を提供する。
【０００２】
優先権の主張
本出願は、２０１３年３月１５日に出願された３件の米国暫定特許出願第６１／７９５，０００号、第６１／７９８，１９２号、及び第６１／７９８，９１５号の利益及びこれらに対する優先権を主張する。これら３件の仮出願は、本明細書によって参照されることにより、本出願に完全に包含される。
【０００３】
参照による組み込み
次の文献は、本明細書に記載された本考案の一般概念のより十分な理解及び認識に役立つ可能性がある：米国特許第５，２７８，３９０号（Ｂｌａｎｋｅｎｓｈｉｐ）、第５，５００，５１２（Ｇｏｌｄｂｌａｔｔ）、第５，５５３，８１０号（Ｂｏｂｅｃｚｋｏ）、第５，７０８，２５３号（Ｂｌｏｃｈ他）、第５，８６２，０７１号（Ｓｃｈｏｌｄｅｒ）、第６，５３６，６６０号（Ｂｌａｎｋｅｎｓｈｉｐ他）、及び第６，８５８，８１７号（Ｂｌａｎｋｅｎｓｈｉｐ他）、論文「Ｗｈａｔ  Ｅｖｅｒｙ  Ｅｎｇｉｎｅｅｒ  Ｓｈｏｕｌｄ  Ｋｎｏｗ  ａｂｏｕｔ  Ｗｅｌｄｉｎｇ  Ｐｒｏｃｅｄｕｒｅｓ」（Ｄ．Ｋ．Ｍｉｌｌｅｒ著、１９９７年）、出版物「Ｄｉｇｉｔａｌ  Ｃｏｍｍｕｎｉｃａｔｉｏｎｓ  Ｔｅｃｈｎｏｌｏｇｙ」（Ｌｉｎｃｏｌｎ  Ｅｌｅｃｔｒｉｃ著、２００６年）。したがって、これらの各文献は、本明細書によって参照されることにより、本明細書に完全に組み込まれる。
【背景技術】
【０００４】
近距離無線通信（ｎｅａｒ  ｆｉｅｌｄ  ｃｏｍｍｕｎｉｃａｔｉｏｎ：ＮＦＣ）は、スマートフォンやタブレットなどのデバイス間の非接触通信の知られた一形態である。ＮＦＣは、そのようなデバイス（多くの場合、携帯端末又はモバイル機器）に関する一連の規格を含んでおり、それらのデバイスを互いに接触されることで、又は（通常は、数センチメートル以下に）近づけることで、各デバイス間の無線通信を確立する。ＮＦＣピアツーピア通信は、両方のデバイスに電力が供給されている場合に可能になる。通信は、ＮＦＣデバイスと、電力が供給されていないＮＦＣチップ（多くの場合、「パッシブ・タグ」又は単に「タグ」と呼ばれる）との間でも可能になる。
【０００５】
ＮＦＣは、２つのデバイス間の、消費電力の低い近距離通信のプロトコルである。イニシエータ・デバイスは、ターゲット・デバイスが検出及びアクセスできる電波を、磁気誘導を使用して生成し、比較的に短い距離（例えば、１０ｃｍ未満）を経由した無線による少量のデータ転送を可能にする。さらに具体的には、イニシエータ・デバイスは、磁気誘導を使用することにより、小電流を放射して磁場を生成し、この磁場が、イニシエータ・デバイスとターゲット・デバイスとの間の物理的空間の橋渡しをする。この磁場は、ターゲット・デバイス内の同様のコイルによって受信され、電気インパルスに逆変換されて、ステータス情報又はその他の任意の情報などのデータを伝える。いわゆる「パッシブ」ＮＦＣタグは、イニシエータ・デバイスからのエネルギーを使用して応答をエンコード及び提供するが、「アクティブ」タグ又は「ピアツーピア」タグは独自の電源を備え、独自の電磁場を使用してイニシエータ・デバイスに応答する。したがって、ＮＦＣ送信には、通常２つのモードが含まれる。パッシブ通信モードにおいて、イニシエータ・デバイスは搬送波場を提供し、ターゲット・デバイスは既存の磁場を変調することによって応答する。このモードにおいて、ターゲット・デバイスは、イニシエータ・デバイスが提供する電磁場から動作電力を供給されることが可能であり、そのため、ターゲット・デバイスは応答装置になる。応答装置であるこのターゲット・デバイスは、アクティブ・デバイスから電力を供給された場合、信号をアクティブ・デバイスに供給するために電源を必要としない。
【０００６】
アクティブ通信モードにおいて、イニシエータ・デバイスとターゲット・デバイスの両方は、各自の磁場を交互に生成して通信する。デバイスは、データを待ち受けている間、その無線周波数（ｒａｄｉｏ  ｆｒｅｑｕｅｎｃｙ：ＲＦ）場を無効にする。このモードでは、通常、両方のデバイスに電力が供給される。
【０００７】
ＮＦＣデバイスは、データの受信と送信を同時に行えるようにすることが可能である。したがって、デバイスは、受信信号の周波数が送信信号の周波数と一致していないかどうか、衝突の可能性をチェックすることができる。
【０００８】
ＮＦＣは、世界的に使用可能な無許可の無線周波数である１３．５６ＭＨｚのＩＳＭバンドの範囲内で動作する。ＲＦエネルギーの大部分は、許容される±７ｋＨｚの帯域幅に集中しているが、スペクトル包絡線全体は、ＡＳＫ変調を使用した場合、最大１．８ＭＨｚになる可能性がある。小型標準アンテナを使用した場合の作動距離は、最大２０ｃｍに達することが可能であるが、実際の作動距離はさらに短い。
【０００９】
ＮＦＣ送信は、近距離及び暗号化のサポートにより、通常は安全である。多くの場合、アプリケーションは、上位層の暗号プロトコル（例えば、ＳＳＬ）を使用して、セキュリティで保護されたチャネルを確立する。ＮＦＣデバイスを紛失するとセキュリティ問題が発生する可能性があるため、通常、そのようなデバイスは、認証コードなどの追加セキュリティによって保護される。
【００１０】
ＮＦＣ規格は、通信プロトコル及びデータ交換形式を対象にし、比較的設定がシンプルなセキュリティで保護された接続を提供し、Ｂｌｕｅｔｏｏｔｈ（登録商標）接続やＷｉ−Ｆｉ接続などのさらに能力の高いワイヤレス接続の起動に使用できる。
【００１１】
ＮＦＣ送信のアプリケーション、並びに関連する溶接システム及び方法との通信は、本明細書に記載されて示される本考案の一般概念によって考慮される。
【図面の簡単な説明】
【００１２】
【図１】ＭＩＧ溶接システムの概略図である。
【図２】ＮＦＣロジック及びＮＦＣ対応デバイスが組み込まれた溶接システムの実施形態である。
【図３Ａ】パッシブＮＦＣデバイス（又はタグ）の概略図である。
【図３Ｂ】アクティブＮＦＣデバイス（又はタグ）の概略図である。
【図４】ＮＦＣタグを含む電源の概略図である。
【図５】ＮＦＣタグを含むガス源の概略図である。
【図６】ＮＦＣタグを含むワイヤ源の概略図である。
【図７】ＮＦＣタグを含む溶接トーチの概略図である。
【図８】ＮＦＣタグを含む溶接機の概略図である。
【図９】ＮＦＣタグを含むワイヤフィーダの概略図である。
【図１０】アクティブＮＦＣロジックを含むオペレータデバイスの概略図である。
【図１１】ＮＦＣロジックを使用して特定の溶接機の機能へのアクセスを制限するための処理のロジック・フローチャートである。
【図１２】溶接システムを備える溶接装置へのキャリブレーション・データをセキュリティで保護するための処理のロジック・フローチャートである。
【図１３】ＮＦＣデバイスを使用して溶接システムを設定及びキャリブレーションするための方法のロジック・フローチャートである。
【図１４】ＮＦＣタグを使用して溶接システムのネットワークを構成するための方法のロジック・フローチャートである。
【考案の概要】
【課題を解決するための手段】
【００１３】
近距離無線通信（ｎｅａｒ  ｆｉｅｌｄ  ｃｏｍｍｕｎｉｃａｔｉｏｎ：ＮＦＣ）プロトコル及びＮＦＣロジックを使用して溶接作業及び溶接システムをキャリブレーションするための方法及びシステムの実施形態が記載され、請求される。さらに、溶接システムを備える複数のコンポーネントをネットワーク接続、キャリブレーション、及びリンクするために、ＮＦＣロジック及びＮＦＣタグを使用する方法及びシステムが記載され、請求される。一実施形態では、本考案は、溶接機（２０２）と、ワイヤフィーダ（２３０）と、溶接トーチ（２４０）と、溶接機（２０２）に取り付けられ、溶接機（２０２）のキャリブレーション・データを示す第１信号を生成する第１ＮＦＣタグ（２０６）と、ワイヤフィーダ（２３０）に取り付けられ、ワイヤフィーダ（２３０）のキャリブレーション・データを示す第２信号を生成する第２ＮＦＣタグ（２３６）と、溶接トーチ（２４０）に取り付けられ、溶接トーチ（２４０）のキャリブレーション・データを示す第３信号を生成する第３ＮＦＣタグ（２４８）とを備える溶接システム（２００）を提供する。本考案の詳細な実施形態、特徴、及び態様は、以下の説明、図面、及び特許請求の範囲から推測できる。
【考案を実施するための形態】
【００１４】
本考案の一般概念は、さまざまな形での実施形態が可能であるが、本開示が本考案の一般概念の原理の一例にすぎないと見なされるという了解の下で、本明細書では図面で示され、具体的な実施形態において詳細に説明される。したがって、本考案の一般概念は、本明細書に示された特定の実施形態に制限されるよう意図されていない。
【００１５】
本開示全体で使用される可能性のある各種用語について、以下で定義する。全ての用語の単数形及び複数形の両方が、それぞれの意味に含まれる。
【００１６】
本明細書で使用される「ロジック」は、「回路」と同じ事を表して、ハードウェア、ファームウェア、ソフトウェア及び／又は機能又は動作を実行するためのそれらの組み合わせを含むが、これらに限定されない。例えば、所望のアプリケーション又は特定の必要性に応じて、ロジックは、ソフトウェア制御マイクロプロセッサ、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）などの個々のロジック、又はその他のプログラムされたロジック・デバイスを含むことができる。場合によっては、ロジックは、完全にソフトウェアとして具現化されることも可能である。
【００１７】
本明細書で使用される「ソフトウェア」又は「コンピュータ・プログラム」は、コンピュータ又はその他の電子機器又はロジックが機能を実行し、動作を開始し、且つ／又は所望の方法で動作できるようにする１つ又は複数のコンピュータ又はマシン可読命令及び／又は実行可能命令を含むが、これらに限定されない。命令は、ルーチン、アプリ、アルゴリズム、モジュール、又は、単独のアプリケーション若しくは動的にリンクされたライブラリからのコードを含むプログラムなど、さまざまな形態で具現化されることが可能である。ソフトウェアは、スタンドアロン・プログラム、関数呼び出し、サーブレット、アプレット、メモリに格納された命令、オペレーティング・システムの一部、又はその他の種類の実行可能命令などの、さまざまな形態で実装されることも可能である。ソフトウェアの形態が、例えば、特定のアプリケーションの要件、ソフトウェアが実行される環境、及び／又は設計者／プログラマなどの要求によって異なるということは、当業者によって理解されるであろう。
【００１８】
本明細書で使用される「コンピュータ」又は「処理装置」は、データを格納、取得、及び処理できる任意のプログラムされた電子機器又はプログラム可能な電子機器を含むが、これらに限定されない。
【００１９】
本明細書で使用されるモバイル・アプリケーション」又は「モバイル・アプリ」又は「ソフトウェア・アプリケーション」又は「アプリケーション」又は「アプリ」は、スマートフォン、タブレット・コンピュータ、及びその他のモバイル・コンピューティング・デバイス又はポータブル・コンピューティング・デバイス上で動作するアプリケーションを含むが、これらに限定されない。「モバイル・アプリケーション」又は「モバイル・アプリ」又は「ソフトウェア・アプリケーション」又は「アプリケーション」又は「アプリ」という用語は、「ソフトウェア」又は「コンピュータ・プログラム」又は「アプリケーション・ソフトウェア」の同義語として使用できる。ユーザは、モバイル・アプリケーションを使用して、デスクトップ・プラットフォーム又はノートブック・プラットフォーム上で従来使用できたサービスに接続できる。通常、これらのサービスは、インターネット又はイントラネット又はセルラー・ネットワーク又はワイヤレス・フィディリティ（ｗｉｒｅｌｅｓｓ  ｆｉｄｅｌｉｔｙ：Ｗｉ−Ｆｉ）ネットワークにアクセスして、データへのアクセス、データの取得、送信、及び共有を行う。
【００２０】
本明細書で使用される「ネットワーク」は、リソース及び情報の共有を可能にする通信チャネル（ワールド・ワイド・ウェブ又はインターネットを含むが、これらに限定されない）によって相互接続されたハードウェア・コンポーネント及びコンピュータ又はマシンの集合を含むが、これらに限定されない。
【００２１】
本明細書で使用される「オペレータ」は、溶接作業を実際に実行する任意の個人、及び（手動又は自動）溶接作業を監督するか、又は溶接作業の責任を負っている任意の個人を含むが、これらに限定されない。
【００２２】
「ポータブル・コンピューティング・デバイス」は、従来のコンピュータの能力をポータブル環境内で結合するコンピューティング・デバイスを含むが、これらに限定されない。ポータブル・コンピューティング・デバイスの例は、ポータブル・コンピュータ、タブレット・コンピュータ、インターネット・タブレット、携帯情報端末（ｐｅｒｓｏｎａｌ  ｄｉｇｉｔａｌ  ａｓｓｉｓｔａｎｔ：ＰＤＡ）、ウルトラ・モバイルＰＣ（ｕｌｔｒａ  ｍｏｂｉｌｅ  ＰＣ：ＵＭＰＣ）、カーピュータ（通常は自動車に設置される）、ウェアラブル・コンピュータ、及びスマートフォンを含む。「ポータブル・コンピューティング・デバイス」という用語は、「コンピュータ」又は「処理装置」という用語の同義語として使用できる。
【００２３】
アーク溶接は、非常に多数の相互に関係するパラメータ及び関係しないパラメータが、溶接作業の実行時に溶融池への溶融金属の堆積に影響を与える、複雑な処理である。そのため、多くの最新のアーク溶接機は、溶接処理を実行又は制御するのに役立つ情報を格納するためのメモリ又は類似の構造を含んでいる。この情報は、例えば、溶接機を制御するためのパラメータなどの、溶接処理に直接関連する情報、及び／又は溶接処理を実行するオペレータに関する情報などの、溶接処理に間接的に関連する情報、又は溶接処理で使用されているワイヤに関連する情報を含むことができる。このような情報を効率的、確実、且つ安全に入力するためのシステム及び方法が望まれる。
【００２４】
本考案の一般概念は、ＮＦＣアクティブ・デバイス及び／又はＮＦＣパッシブ・デバイスを使用して、溶接システムの各種コンポーネント（例えば、電力供給装置／コントローラ）及びそのオペレータの間を含む、溶接システム内の情報の読み取り、書き込み、及び／又は格納を行うシステム及び方法を考慮する。
【００２５】
ガス・メタル・アーク溶接（ｇａｓ  ｍｅｔａｌ  ａｒｃ  ｗｅｌｄｉｎｇ：ＧＭＡＷ）の一部である金属不活性ガス（ｍｅｔａｌ  ｉｎｅｒｔ  ｇａｓ：ＭＩＧ）溶接は、アーク溶接の一種である。ＭＩＧ溶接は、電気アークが消耗ワイヤ電極と加工対象の金属との間に形成され、金属がワイヤとともに融解して結合する溶接処理である。多くの場合、ワイヤ電極とともに、遮蔽ガスが溶接ガン又は溶接トーチを通じて供給され、溶接処理を空気中の混入物質（例えば、酸素、窒素）から遮蔽する。本明細書に記載されたさまざまな例示的な実施形態は、１つ又は複数の特定の種類の溶接処理を対象にすることが可能であるが、本考案の一般概念は、これらの特定の種類の溶接処理に制限されるよう意図されておらず、任意の適切な溶接処理での適用可能性を見出すことが可能である。
【００２６】
従来のＭＩＧ溶接システム１００を図１に示す。ＭＩＧ溶接システム１００において、溶接ユニット（溶接機）１０２は、溶接処理の電力供給装置及びコントローラとして機能する。溶接機１０２は、溶接処理に関連する情報を格納するために、メモリ１０４又は類似のロジックを含む。例えば、情報は、溶接機１０２を手動でプログラムするか、又は溶接機１０２と情報をやりとりするオペレータ１０６によってメモリに格納されることが可能である。
【００２７】
溶接機１０２は、溶接機１０２を動作させるために必要な入力電力１１２を供給する電源１１０に接続される。溶接機１０２は、溶接処理に適した、一貫した又は制御された出力電力１１４を生成するために、入力電力１１２を調整できる。
【００２８】
溶接機１０２は、溶接処理用の遮蔽ガス１２２を供給するガス源１２０にも接続される。制御されたガスを溶接機１０２に供給するために、ガス・レギュレータを使用して遮蔽ガス１２２の圧力を調整することができる。
【００２９】
溶接機１０２は、ワイヤフィーダ１３０にも接続される。ワイヤフィーダ１３０は、溶接ワイヤ１３２を、ワイヤのスプール又はバレルなどのワイヤ源１３４から受け取る。ワイヤフィーダ１３０は、溶接ワイヤ１３２を溶接トーチ１４０、溶接ガン、又は同様のものに繰り出すために、モータ又は同様のものを含む。ワイヤフィーダ１３０は、溶接トーチ１４０のスイッチを押すなどのオペレータ１０６の操作に応答して、溶接ワイヤ１３２を前進させることができる。
【００３０】
図に示された実施形態では、出力電力１１４及び／又は遮蔽ガス１２２も、ワイヤフィーダ１３０を介して（例えば、ケーブルを使用して）溶接トーチ１４０に供給される。別の実施形態では、出力電力１１４及び／又は遮蔽ガス１２２は、溶接機１０２から溶接トーチ１４０に直接供給されることも可能である。
【００３１】
溶接される少なくとも１つのワークピース１５０も提供される。ワークピース１５０は、接地ケーブル１５２又は同様のものによって、溶接機１０２に接続される。
【００３２】
本考案の一般概念の一つの例示的な実施形態によるＭＩＧ溶接システム２００を図２に示す。本明細書に記載されているように、ＭＩＧ溶接システム２００の１つ又は複数のコンポーネントは、ＮＦＣ対応コンポーネントである。したがって、これらのコンポーネントに対して、データの読み取り及び／又は書き込みを行うことが可能であり、その結果、さらに動的で且つさらに接続され対話的な溶接システムが得られる。
【００３３】
ＭＩＧ溶接システム２００では、溶接ユニット（溶接機）２０２は、溶接処理の電力供給装置及びコントローラとして機能する。溶接機２０２は、これら（又はその他）の機能を実行及び／又は支援するための処理装置（図に示されていない）を含むことができる。この処理装置は、溶接機２０２の内部コンポーネント、又は溶接機２０２が（例えば、ネットワークを経由して）アクセスする外部コンポーネントにすることができる。
【００３４】
溶接機２０２は、溶接処理に関連する情報を格納するために、メモリ２０４又は類似のロジックも含む。この情報は、いつでもメモリに格納されることが可能である。例えば、この情報は、溶接機２０２の製造時にメモリ２０４に格納されることが可能である。別の例として、この情報は、オペレータ１０６などによる溶接機２０２の設置後に、メモリ２０４に格納されるか、又は更新されることが可能である。
【００３５】
溶接機２０２は、任意の関連するロジック、ソフトウェア、構造、及び同様のもの（電源など）が含まれるＮＦＣロジック２０６を含むことができる。ＮＦＣロジック２０６は、溶接機２０２がＮＦＣ送信の送信及び／又は受信を行うことを可能にする。
【００３６】
溶接機２０２は、溶接機２０２を動作させるために必要な入力電力１１２を供給する電源２１０に接続される。溶接機２０２は、溶接処理用に適した、一貫した又は制御された出力電力１１４を生成するために、入力電力１１２を調整又は変更できる。
【００３７】
電源２１０は、任意の関連するロジック、ソフトウェア、構造、及び同様のもの（電源など）が含まれるＮＦＣロジック２１６を含むことができる。ＮＦＣロジック２１６は、電源２１０がＮＦＣ送信の送信及び／又は受信を行うことを可能にする。
【００３８】
溶接機２０２は、溶接処理用の遮蔽ガス１２２を供給するガス源２２０にも接続される。制御されたガスを溶接機２０２に供給するために、ガス・レギュレータ（図に示されていない）を使用して遮蔽ガス１２２の圧力を調整することができる。
【００３９】
ガス源２２０は、任意の関連するロジック、ソフトウェア、構造、及び同様のもの（電源など）が含まれるＮＦＣロジック２２６を含むことができる。ＮＦＣロジック２２６は、ガス源２２０がＮＦＣ送信の送信及び／又は受信を行うことを可能にする。
【００４０】
溶接機２０２は、ワイヤフィーダ２３０にも接続される。ワイヤフィーダ２３０は、溶接ワイヤ１３２を、ワイヤのスプール又はバレルなどのワイヤ源２３４から受け取る。ワイヤフィーダ２３０は、溶接ワイヤ１３２を溶接トーチ２４０、溶接ガン、又は同様のものに繰り出すために、モータ又は同様のものを含む。ワイヤフィーダ２３０は、溶接トーチ２４０のスイッチを押すなどのオペレータ１０６の操作に応答して、溶接ワイヤ１３２を前進させることができる。自動化された（例えば、ロボット化された）装置では、ワイヤフィーダ２３０は、溶接処理に関連付けられたコンピュータ・プログラム又は同様のものに従って、溶接ワイヤ１３２を自動的に前進させることができる。
【００４１】
ワイヤフィーダ２３０は、任意の関連するロジック、ソフトウェア、構造、及び同様のもの（電源など）が含まれるＮＦＣロジック２３６を含むことができる。ＮＦＣロジック２２６は、ワイヤフィーダ２３０がＮＦＣ送信の送信及び／又は受信を行うことを可能にする。
【００４２】
ワイヤ源２３４は、任意の関連するロジック、ソフトウェア、構造、及び同様のもの（電源など）が含まれるＮＦＣロジック２３８を含むことができる。ＮＦＣロジック２３８は、ワイヤ源２３４がＮＦＣ送信の送信及び／又は受信を行うことを可能にする。
【００４３】
溶接トーチ２４０は、任意の関連するロジック、ソフトウェア、構造、及び同様のもの（電源など）が含まれるＮＦＣロジック２４８を含むことができる。ＮＦＣロジック２４８は、溶接トーチ２４０がＮＦＣ送信の送信及び／又は受信を行うことを可能にする。
【００４４】
一つの例示的な実施形態において、出力電力１１４及び／又は遮蔽ガス１２２も、ワイヤフィーダ２３０を介して（例えば、ケーブルを使用して）溶接トーチ２４０に供給される。一つの例示的な実施形態において、出力電力１１４及び／又は遮蔽ガス１２２は、溶接機２０２から溶接トーチ２４０に直接供給される。
【００４５】
溶接される少なくとも１つのワークピース１５０も提供される。ワークピース１５０は、接地ケーブル１５２又は同様のものによって、溶接機２０２に接続される。
【００４６】
ＭＩＧ溶接システム２００のその他のコンポーネント又は関連するコンポーネントは、任意の関連するロジック、ソフトウェア、構造、及び同様のもの（電源など）が含まれるＮＦＣロジックを含むことができる。例えば、オペレータ１０６に関連付けられたデバイス２５０は、そのようなＮＦＣロジック２５６を含むことができる。一つの例示的な実施形態において、デバイス２５０は、オペレータ１０６による作業現場周辺での持ち運びが可能なように、携帯機器である。一つの例示的な実施形態において、デバイス２５０は、電話、電子メール受信、写真撮影などのその他の機能を提供する処理装置を含む。ＮＦＣロジック（例えば、ＮＦＣロジック２５６）は、コンポーネント（例えば、デバイス２５０）がＮＦＣ送信の送信及び／又は受信を行うことを可能にする。デバイス２５０は、例えば、ポータブル・コンピューティング・デバイスにすることができる。
【００４７】
本考案の一般概念は、少なくとも１つのＮＦＣ対応コンポーネントを含む溶接システム（ＭＩＧ溶接システム２００など）を考慮する。このようにして、溶接システムは、データの読み取り及び／又は書き込みを行われることが可能な少なくとも１つのコンポーネントを含み、その結果、強化された動的な溶接システムが得られる。
【００４８】
一つの例示的な実施形態において、電源２１０はパッシブＮＦＣロジック４０２を含む（図４を参照）。ＮＦＣロジック４０２は任意の適切な形態を取ることができる。一つの例示的な実施形態において、ＮＦＣロジック４０２はタグ、ステッカー、又は同様のものである。一つの例示的な実施形態において、タグは電源２１０の外面に取り付けられる。タグは、ユーザ（例えば、オペレータ１０６）によって容易に視認及びアクセスされることが可能である。
【００４９】
パッシブ・デバイスとして、タグは、専用の電源を備えていない。代わりにタグは、ＮＦＣロジック３０４を含み、イニシエータ・デバイス３１０のＮＦＣロジック３０８によって生成された電磁場３０６から給電されるターゲット・デバイス３０２として機能する（図３Ａを参照）。アクティブ・デバイスとして、イニシエータ・デバイス３１０は、専用電源３１２（例えば、１つ又は複数のバッテリ）を含む。一つの例示的な実施形態において、イニシエータ・デバイス３１０は、電磁場３０６によって伝えられた読み取り命令３１４を使用して、ターゲット・デバイス３０２に格納されたか、又は関連付けられた情報を読み取る。読み取り命令３１４は、イニシエータ・デバイス３１０上で動作するＮＦＣアプリケーション（図に示されていない）によって実行されることが可能である。一つの例示的な実施形態において、イニシエータ・デバイス３１０は、電磁場３０６によって伝えられた書き込み命令３１８を使用して、情報をターゲット・デバイス３０２に書き込む。書き込み命令３１８は、イニシエータ・デバイス３１０上で動作するＮＦＣアプリケーションによって実行又は管理されることも可能である。
【００５０】
パッシブＮＦＣロジック４０２は、電源情報４０４が電源２１０に格納されるか、又は関連付けられることを可能にする。電源情報４０４は、出力電力能力及びキャリブレーション情報などの、電源２１０に関する任意の情報を含むことができる。電源情報４０４は、イニシエータ・デバイス３１０によってアクセス可能であり、例えば、電源２１０が溶接処理の十分な出力電力を安全に（つまり、定格電力で）供給できることを確認するために使用できる。何らかの欠陥又はその他の問題が電源２１０で識別された場合、溶接処理は中止されるか、又は前記欠陥が対策されるまで延期されることが可能である。
【００５１】
一つの例示的な実施形態において、ガス源２２０はパッシブＮＦＣロジック５０２を含む（図５を参照）。ＮＦＣロジック５０２は任意の適切な形態を取ることができる。一つの例示的な実施形態において、ＮＦＣロジック５０２はタグ、ステッカー、又は同様のものである。一つの例示的な実施形態において、タグはガス源２２０の外面（例えば、遮蔽ガス１２２が含まれている１つ又は複数のタンク）に取り付けられる。タグは、ユーザ（例えば、オペレータ１０６）によって容易に視認及びアクセスされることが可能である。
【００５２】
パッシブ・デバイスとして、タグは、専用の電源を備えていない。代わりにタグは、ＮＦＣロジック３０４を含み、イニシエータ・デバイス３１０のＮＦＣロジック３０８によって生成された電磁場３０６から給電されるターゲット・デバイス３０２として機能する（図３Ａを参照）。アクティブ・デバイスとして、イニシエータ・デバイス３１０は、専用電源３１２（例えば、１つ又は複数のバッテリ）を含む。一つの例示的な実施形態において、イニシエータ・デバイス３１０は、電磁場３０６によって伝えられた読み取り命令３１４を使用して、ターゲット・デバイス３０２に格納されたか、又は関連付けられた情報を読み取る。読み取り命令３１４は、イニシエータ・デバイス３１０上で動作するＮＦＣアプリケーション（図に示されていない）によって実行されることが可能である。一つの例示的な実施形態において、イニシエータ・デバイス３１０は、電磁場３０６によって伝えられた書き込み命令３１８を使用して、情報をターゲット・デバイス３０２に書き込む。書き込み命令３１８は、イニシエータ・デバイス３１０上で動作するＮＦＣアプリケーションによって実行又は管理されることも可能である。
【００５３】
パッシブＮＦＣロジック５０２は、ガス源情報５０４がガス源２２０に関連付けられることを可能にする。ガス源情報５０４は、ガス源２２０によって供給される遮蔽ガス１２２の組成などの、ガス源２２０に関する任意の情報を含むことができる。ガス源情報５０４は、イニシエータ・デバイス３１０によってアクセス可能であり、例えば、ガス源２２０によって供給される遮蔽ガス１２２が特定の溶接処理に適しているかどうかを決定するために使用できる。何らかの欠陥又はその他の問題が遮蔽ガス１２２で識別された場合、溶接処理は中止されるか、又は前記欠陥が対策されるまで延期されることが可能である。
【００５４】
一つの例示的な実施形態において、ワイヤ源２３４はパッシブＮＦＣロジック６０２を含む（図６を参照）。ＮＦＣロジック６０２は任意の適切な形態を取ることができる。一つの例示的な実施形態において、ＮＦＣロジック６０２はタグ、ステッカー、又は同様のものである。一つの例示的な実施形態において、タグはワイヤ源２３４の外面（例えば、溶接ワイヤ１３２が含まれているスプール）に取り付けられる。タグは、ユーザ（例えば、オペレータ１０６）によって容易に視認及びアクセスされることが可能である。
【００５５】
パッシブ・デバイスとして、タグは、専用の電源を備えていない。代わりにタグは、ＮＦＣロジック３０４を含み、イニシエータ・デバイス３１０のＮＦＣロジック３０８によって生成された電磁場３０６から給電されるターゲット・デバイス３０２として機能する（図３Ａを参照）。アクティブ・デバイスとして、イニシエータ・デバイス３１０は、専用電源３１２（例えば、１つ又は複数のバッテリ）を含む。一つの例示的な実施形態において、イニシエータ・デバイス３１０は、電磁場３０６によって伝えられた読み取り命令３１４を使用して、ターゲット・デバイス３０２に格納されたか、又は関連付けられた情報を読み取る。読み取り命令３１４は、イニシエータ・デバイス３１０上で動作するＮＦＣアプリケーション（図に示されていない）によって実行されることが可能である。一つの例示的な実施形態において、イニシエータ・デバイス３１０は、電磁場３０６によって伝えられた書き込み命令３１８を使用して、情報をターゲット・デバイス３０２に書き込む。書き込み命令３１８は、イニシエータ・デバイス３１０上で動作するＮＦＣアプリケーションによって実行又は管理されることも可能である。
【００５６】
パッシブＮＦＣロジック６０２は、溶接ワイヤ情報６０４がワイヤ源２３４に関連付けられることを可能にする。溶接ワイヤ情報６０４は、ワイヤ源２３４によって供給される溶接ワイヤ１３２の組成及び／又はサイズ（例えば、直径）などの、ワイヤ源２３４に関する任意の情報を含むことができる。溶接ワイヤ情報６０４は、イニシエータ・デバイス３１０によってアクセス可能であり、例えば、ワイヤ源２３４によって供給される溶接ワイヤ１３２が特定の溶接処理に適しているかどうかを決定するために使用できる。何らかの欠陥又はその他の問題が溶接ワイヤ１３２で識別された場合、溶接処理は中止されるか、又は前記欠陥が対策されるまで延期されることが可能である。
【００５７】
一つの例示的な実施形態において、溶接トーチ２４０はパッシブＮＦＣロジック７０２を含む（図７を参照）。ＮＦＣロジック７０２は任意の適切な形態を取ることができる。一つの例示的な実施形態において、ＮＦＣロジック７０２はタグ、ステッカー、又は同様のものである。一つの例示的な実施形態において、タグは溶接トーチ２４０の外面（例えば、溶接トーチ２４０のハンドル２４６の近く）に取り付けられる。タグは、溶接トーチ２４０の近くで発生する厳しい溶接条件から、任意の適切な方法で保護されることが可能である。例えば、タグは、厳しい溶接条件を補うために、耐熱材料で作成されるか、又は耐熱材料に囲まれることが可能である。別の例として、タグは、タグを厳しい溶接条件から遮蔽するために、溶接トーチ２４０の取り外し可能なパネル又は同様のものの後ろに配置されることが可能である。タグは、ユーザ（例えば、オペレータ１０６）によって容易に視認及びアクセスされることが可能である。
【００５８】
パッシブ・デバイスとして、タグは、専用の電源を備えていない。代わりにタグは、ＮＦＣロジック３０４を含み、イニシエータ・デバイス３１０のＮＦＣロジック３０８によって生成された電磁場３０６から給電されるターゲット・デバイス３０２として機能する（図３Ａを参照）。アクティブ・デバイスとして、イニシエータ・デバイス３１０は、専用電源３１２（例えば、１つ又は複数のバッテリ）を含む。一つの例示的な実施形態において、イニシエータ・デバイス３１０は、電磁場３０６によって伝えられた読み取り命令３１４を使用して、ターゲット・デバイス３０２に格納されたか、又は関連付けられた情報を読み取る。読み取り命令３１４は、イニシエータ・デバイス３１０上で動作するＮＦＣアプリケーション（図に示されていない）によって実行されることが可能である。一つの例示的な実施形態において、イニシエータ・デバイス３１０は、電磁場３０６によって伝えられた書き込み命令３１８を使用して、情報をターゲット・デバイス３０２に書き込む。書き込み命令３１８は、イニシエータ・デバイス３１０上で動作するＮＦＣアプリケーションによって実行又は管理されることも可能である。
【００５９】
パッシブＮＦＣロジック７０２は、トーチ情報７０４が溶接トーチ２４０に関連付けられることを可能にする。トーチ情報７０４は、溶接トーチ２４０のメンテナンス履歴などの、溶接トーチ２４０に関する任意の情報を含むことができる。トーチ情報７０４は、イニシエータ・デバイス３１０によってアクセス可能であり、例えば、溶接トーチ２４０が特定の溶接処理を実行するための十分な状態にあるかどうかを決定するために使用できる。何らかの欠陥又はその他の問題が溶接トーチ２４０で識別された場合、溶接処理は中止されるか、又は前記欠陥が対策されるまで延期されることが可能である。
【００６０】
一つの例示的な実施形態において、溶接機２０２はアクティブＮＦＣロジック８０２を含む（図８を参照）。ＮＦＣロジック８０２は任意の適切な形態を取ることができる。一つの例示的な実施形態において、ＮＦＣロジック８０２はタグ、ステッカー、又は同様のものである。一つの例示的な実施形態において、タグは溶接機２０２の外面（例えば、溶接機２０２のフレーム）に取り付けられる。タグは、ユーザ（例えば、オペレータ１０６）によって容易に視認及びアクセスされることが可能である。
【００６１】
アクティブ・デバイスとして、タグは、ＮＦＣロジック８０２に電力を供給する専用電源８０４（例えば、１つ又は複数のバッテリ）を備える。このようにして、タグは、イニシエータ・デバイス３１０などのイニシエータ・デバイス、及びアクティブ・ターゲット・デバイス３３０の両方として機能できる（図３Ｂを参照）。
【００６２】
ターゲット・デバイス３３０は、独自の電源３３２を備える。ターゲット・デバイス３３０は、イニシエータ・デバイス３１０によって生成される電磁場３０６と同様の電磁場３３６を生成できるＮＦＣロジック３３４をさらに含む。このようにして、ターゲット・デバイス３３０及びイニシエータ・デバイス３１０は、相互にピアツーピア通信を行うことができる。或いは、ターゲット・デバイス３３０が厳密にターゲット・デバイスとして動作する場合、ターゲット・デバイス３３０は、図３Ａに示されたターゲット・デバイス３０２と同様の方法で機能する。
【００６３】
反対に、ターゲット・デバイス３３０がイニシエータ・デバイス、又はイニシエータ・デバイスとターゲット・デバイスの組み合わせとして動作する場合、ターゲット・デバイス３３０は、図３Ａに示されたイニシエータ・デバイス３１０と同様の方法で機能する。例えば、ターゲット・デバイス３３０は、電磁場３３６によって伝えられた読み取り命令３１４を使用して、他のデバイス（例えば、イニシエータ・デバイス３１０）に格納されたか、又は関連付けられた情報を読み取る。読み取り命令３１４は、ターゲット・デバイス３３０上で動作するＮＦＣアプリケーション（図に示されていない）によって実行されることが可能である。一つの例示的な実施形態において、ターゲット・デバイス３３０は、電磁場３３６によって伝えられた書き込み命令３１８を使用して、情報を他のデバイスに書き込む。書き込み命令３１８は、ターゲット・デバイス３３０上で動作するＮＦＣアプリケーションによって実行又は管理されることも可能である。
【００６４】
ターゲット・デバイス３３０がイニシエータ・デバイス３１０として動作する場合、溶接機２０２は、ＮＦＣロジック８０２を使用してＭＩＧ溶接システム２００の別のコンポーネント（ターゲット・デバイス）に対してデータの読み取り及び／又はデータの書き込みを行うことができる。ターゲット・デバイス３３０がターゲット・デバイス３０２として動作する場合、溶接機２０２は、ＮＦＣロジック８０２を使用して、ＭＩＧ溶接システム２００の別のコンポーネント（イニシエータ・デバイス）による読み取り及び／又は書き込みが可能な溶接機情報を格納することができる。したがって、溶接機２０２は、ＭＩＧ溶接システム２００の、任意のオペレータ（例えば、オペレータ１０６）を含む他のコンポーネントとのピアツーピア通信に参加できる。
【００６５】
アクティブＮＦＣロジック８０２は、溶接機情報８０６が溶接機２０２に関連付けられることを可能にする。溶接機情報８０６は、電源情報４０４、ガス源情報５０４、溶接ワイヤ情報６０４、トーチ情報７０４、及び／又はワイヤフィーダ情報９０６、並びに、溶接処理、ＭＩＧ溶接システム２００のその他のコンポーネント、及び／又はＭＩＧ溶接システム２００のオペレータに関連するその他の任意の情報を含むことができる。
【００６６】
溶接機情報８０６は、任意のイニシエータ・デバイス３１０によってアクセス可能であり、例えば、特定の溶接処理に関連付けられた要件及び／又はパラメータを決定するために使用できる。何らかの欠陥、問題、不具合、又は同様のものが溶接機情報８０６から識別された場合、溶接処理は中止されるか、又は前記欠陥が対策されるまで延期されることが可能である。一つの例示的な実施形態において、欠陥は、イニシエータ・デバイス３１０を表す溶接コンポーネントによって自動的に対策される。
【００６７】
一つの例示的な実施形態において、ＭＩＧ溶接システム２００のその他のコンポーネントが、溶接機２０２の代わりに、又は溶接機２０２に加えて、アクティブ・デバイスになることができる。例えば、ワイヤフィーダ２３０は、アクティブＮＦＣロジック９０２を含む（図９を参照）。ＮＦＣロジック９０２は任意の適切な形態を取ることができる。一つの例示的な実施形態において、ＮＦＣロジック９０２はタグ、ステッカー、又は同様のものである。一つの例示的な実施形態において、タグはワイヤフィーダ２３０の外面（例えば、ワイヤフィーダ２３０の筐体）に取り付けられる。タグは、ユーザ（例えば、オペレータ１０６）によって容易に視認及びアクセスされることが可能である。
【００６８】
アクティブ・デバイスとして、タグは、ＮＦＣロジック９０２に電力を供給する専用電源９０４（例えば、１つ又は複数のバッテリ）を備える。このようにして、タグは、イニシエータ・デバイス３１０などのイニシエータ・デバイス、及びアクティブ・ターゲット・デバイス３３０の両方として機能できる（図３Ｂを参照）。
【００６９】
ターゲット・デバイス３３０は、独自の電源３３２を備える。ターゲット・デバイス３３０は、イニシエータ・デバイス３１０によって生成される電磁場３０６と同様の電磁場３３６を生成できるＮＦＣロジック３３４をさらに含む。このようにして、ターゲット・デバイス３３０及びイニシエータ・デバイス３１０は、相互にピアツーピア通信を行うことができる。或いは、ターゲット・デバイス３３０が厳密にターゲット・デバイスとして動作する場合、ターゲット・デバイス３３０は、図３Ａに示されたターゲット・デバイス３０２と同様の方法で機能する。
【００７０】
反対に、ターゲット・デバイス３３０がイニシエータ・デバイス、又はイニシエータ・デバイスとターゲット・デバイスの組み合わせとして動作する場合、ターゲット・デバイス３３０は、図３Ａに示されたイニシエータ・デバイス３１０と同様の方法で機能する。例えば、ターゲット・デバイス３３０は、電磁場３３６によって伝えられた読み取り命令３１４を使用して、他のデバイス（例えば、イニシエータ・デバイス３１０）に格納されたか、又は関連付けられた情報を読み取る。読み取り命令３１４は、ターゲット・デバイス３３０上で動作するＮＦＣアプリケーション（図に示されていない）によって実行されることが可能である。一つの例示的な実施形態において、ターゲット・デバイス３３０は、電磁場３３６によって伝えられた書き込み命令３１８を使用して、情報を他のデバイスに書き込む。書き込み命令３１８は、ターゲット・デバイス３３０上で動作するＮＦＣアプリケーションによって実行又は管理されることも可能である。
【００７１】
ターゲット・デバイス３３０がイニシエータ・デバイス３１０として動作する場合、ワイヤフィーダ２３０は、ＮＦＣロジック９０２を使用してＭＩＧ溶接システム２００の別のコンポーネント（ターゲット・デバイス）に対してデータの読み取り及び／又はデータの書き込みを行うことができる。ターゲット・デバイス３３０がターゲット・デバイス３０２として動作する場合、ワイヤフィーダ２３０は、ＮＦＣロジック９０２を使用して、ＭＩＧ溶接システム２００の別のコンポーネント（イニシエータ・デバイス）による読み取り及び／又は書き込みが可能なワイヤフィーダ情報を格納することができる。したがって、ワイヤフィーダ２３０は、ＭＩＧ溶接システム２００の、任意のオペレータ（例えば、オペレータ１０６）を含む他のコンポーネントとのピアツーピア通信に参加できる。
【００７２】
アクティブＮＦＣロジック９０２は、ワイヤフィーダ情報９０６がワイヤフィーダ２３０に関連付けられことを可能にする。ワイヤフィーダ情報９０６は、電源情報４０４、ガス源情報５０４、溶接ワイヤ情報６０４、トーチ情報７０４、及び／又は溶接機情報８０６、並びに、溶接処理、ＭＩＧ溶接システム２００のその他のコンポーネント、及び／又はＭＩＧ溶接システム２００のオペレータに関連するその他の任意の情報を含むことができる。ワイヤフィーダ情報は、特定の溶接作業用にキャリブレーションされたワイヤのワイヤ供給速度を含むこともできる。
【００７３】
ワイヤフィーダ情報９０６は、任意のイニシエータ・デバイス３１０によってアクセス可能であり、例えば、特定の溶接処理に関連付けられた要件及び／又はパラメータを決定するために使用できる。何らかの欠陥、問題、不具合、又は同様のものがワイヤフィーダ情報９０６から識別された場合、溶接処理は中止されるか、又は前記欠陥が対策されるまで延期されることが可能である。一つの例示的な実施形態において、欠陥は、イニシエータ・デバイス３１０を表す溶接コンポーネントによって自動的に対策される。
【００７４】
一つの例示的な実施形態において、ワイヤフィーダ２３０の制限は、ワイヤフィーダ情報９０６を介して溶接機２０２に伝えられることが可能であり、それによって、ワイヤフィーダ２３０が適している溶接処理のみがオペレータ１０６に表示されるか、又は使用可能になる。
【００７５】
一つの例示的な実施形態において、オペレータ１０６に関連付けられたオペレータデバイス１０００は、アクティブＮＦＣロジック１００２を含む（図１０を参照）。一つの例示的な実施形態において、ＮＦＣロジック１００２は、オペレータデバイス１０００に組み込まれるか、又は統合される。一つの例示的な実施形態において、ＮＦＣロジック１００２は、オペレータデバイス１０００への追加コンポーネントとして実装される。例えば、オペレータデバイス１０００は、ＮＦＣロジック１００２とインターフェイスを取ることによって（例えば、ＮＦＣロジック１００２をオペレータデバイス１０００のポート、拡張スロット、又は同様のものに差し込むことによって）、ＮＦＣ機能を備えることができる。本考案の一般概念は、溶接システム（例えば、ＭＩＧ溶接システム２００）のその他のコンポーネントが、同様の方法でＮＦＣ機能を備えるように改良されることを考慮する。
【００７６】
オペレータデバイス１０００は、オペレータ１０６とＭＩＧ溶接システム２００の各種ＮＦＣ対応コンポーネントとの間の通信を容易にするソフトウェアであるＮＦＣアプリケーション又はアプリ（図に示されていない）も含む。例えば、ＮＦＣアプリケーションは、ユーザ・インターフェイスを提供すること、及びＮＦＣ対応デバイス間のデータ交換を管理することができる。ＮＦＣアプリケーションは、ウェブサイト又はアプリストア・ウェブサイトからオペレータデバイスにダウンロードされることが可能である。
【００７７】
一つの例示的な実施形態において、オペレータデバイス１０００はモバイル・コンピューティング・デバイスである。一つの例示的な実施形態において、オペレータデバイス１０００はスマートフォンである。一つの例示的な実施形態において、オペレータデバイス１０００はポータブル・コンピュータである。一つの例示的な実施形態において、オペレータデバイス１０００はタブレットである（図１０を参照）。
【００７８】
一つの例示的な実施形態において、オペレータデバイス１０００は相対的に固定されたコンピュータである。この場合、オペレータデバイス１０００とＮＦＣ対応コンポーネントとの間で通信を可能にするために、ＮＦＣ対応コンポーネント（例えば、ＮＦＣロジックが含まれるワイヤのスプール）をオペレータデバイス１０００まで運ぶことが必要になる場合がある。この場合、オペレータデバイス１０００は、有線イーサネット（登録商標）・ネットワーク又は無線イーサネット（登録商標）・ネットワークなどのネットワークによって、ＭＩＧ溶接システム２００の他のコンポーネント（例えば、溶接機２０２）とデータを共有できるようになることが可能である。
【００７９】
当業者は、ＭＩＧ溶接システム２００内の任意の数のコンポーネント又は任意のコンポーネントの組み合わせをＮＦＣ対応にできるということを理解すると考えられる。さらに、そのような各コンポーネントは、パッシブＮＦＣ又はアクティブＮＦＣのいずれかに構成されることが可能である。したがって、オペレータデバイス１０００は、通常、オペレータ１０６によって使用され、溶接機２０２、電源２１０、ガス源２２０、ワイヤフィーダ２３０、ワイヤ源２３４、及び溶接トーチ２４０などの、ＭＩＧ溶接システム２００のＮＦＣ対応溶接コンポーネントのいずれかに対して、データの読み取り及び／又はデータの書き込みを行うことができる。
【００８０】
一つの例示的な実施形態において、オペレータデバイス１０００は、溶接システム（例えば、ＭＩＧ溶接システム２００）におけるアクセス制御の実装又は実行に使用される認証情報を含むことができる。例えば、ＮＦＣタグは、溶接システムの１つ又は複数のコンポーネントに配置される。ＮＦＣタグは、コンポーネントのアクセス制限又はアクセス要件を定義する制御情報を含む。オペレータデバイス１０００がコンポーネントのいずれかの近くに運ばれると、ＮＦＣセッションが確立されて、オペレータデバイス１０００上の認証情報が、そのコンポーネントの制御情報に記述されているアクセス制限又はアクセス要件を満たしているかどうかが決定される。一つの例示的な実施形態において、オペレータ１０６はＮＦＣセッションを手動で（例えば、オペレータデバイス１０００のボタン、アイコン、又は同様のものを押すことによって）開始する。
【００８１】
オペレータデバイス１０００上の認証情報が、コンポーネントの制御情報に記述されているアクセス制限又はアクセス要件を満たしている場合、コンポーネントに対するアクセス権限が、オペレータデバイス１０００を所有するオペレータ１０６に付与される。本明細書において、コンポーネントに対するアクセス権限は、コンポーネントからのデータの読み取りのみ、コンポーネントに対するデータの読み取りとデータの書き込み、及び／又は意図された目的のためのコンポーネントの実際の使用などの、任意のレベルのアクセス権限を意味することが可能である。実際、溶接システムのコンポーネントの制御情報は、さまざまなレベルのアクセス権限を示すことができ、オペレータデバイス１０００の認証情報を使用して確立されることが可能なアクセス権限のレベルに従って、オペレータ１０６のみがコンポーネントにアクセスできるようにすることが可能である。オペレータデバイス１０００上の認証情報が、コンポーネントの制御情報に記述されているアクセス制限又はアクセス要件を満たしていない場合、オペレータデバイス１０００を使用しているオペレータ１０６がコンポーネントへのアクセスを拒否されるか、又はオペレータ１０６によるコンポーネントへの全てのアクセスが適切に制限される。
【００８２】
さらに、オペレータデバイス１０００上の情報の使用は、特定のアクセス制御手段を実装するように拡張されることが可能である。
【００８３】
例えば、一つの例示的な実施形態において、オペレータデバイス１０００は、特定のオペレータ（例えば、オペレータ１０６）に一意に関連付けられる。オペレータデバイス１０００は、特定の溶接処理を実行するためのオペレータの資格証明などの、オペレータ１０６に関連するオペレータ情報を含むことができる。
【００８４】
オペレータ情報は、ＭＩＧ溶接システム２００内で、任意の適切な方法で使用できる。例えば、オペレータ情報は、溶接機２０２及び／又は溶接トーチ２４０によって使用され、オペレータ１０６が特定の溶接処理を実行するための資格を持っているかどうかを決定できる。オペレータ１０６が必要な証明書を持っていないことが決定された場合、溶接機２０２及び／又は溶接トーチ２４０は、溶接処理の実行に必要な機器（例えば、溶接機２０２及び／又は溶接トーチ２４０）を無効にすることなどによって、オペレータ１０６が溶接処理を実行するのを防ぐことができる。
【００８５】
方法１１００では、ＮＦＣデバイス（例えば、オペレータデバイス１０００）又はその他のＮＦＣタグは、１１０２でユーザ（例えば、オペレータ１０６）によって溶接装置（例えば、溶接機２０２）の近くに運ばれる。一つの例示的な実施形態において、近くとは１０ｃｍ以内を意味する。
【００８６】
溶接装置は、ＮＦＣを使用してＮＦＣデバイスからデータを取得し、その後、このデータは１１０４で処理される。具体的には、データは、１１０６で、ＮＦＣデバイスがライセンスを構成しているかどうかを決定するために評価される。ＮＦＣデバイスが、溶接装置のライセンスされた技術を対象にする有効なライセンスを構成していないことが決定された場合、それ以降の処理が停止し（すなわち、方法１１００がリセットされ）、ユーザは溶接装置及び／又はライセンスによってカバーされる追加機能へのアクセスを拒否される。反対に、ＮＦＣデバイスが、溶接装置に関連付けられたライセンスされた技術を対象にする有効なライセンスを構成していることが決定された場合、処理は１１０８まで続行する。１１０８で、ユーザは、溶接装置及び／又は追加機能へのアクセスを、ライセンスされた技術として利用できるようになる。
【００８７】
その後、方法１１００は、１１１０で、ＮＦＣデバイスが溶接装置の近くに留まっているかどうかを評価する。ＮＦＣデバイスが溶接装置の近くに留まっていない場合、１１１２でユーザはそれ以降の溶接装置及び／又は追加機能へのアクセスを拒否され、それ以降の処理が停止する（すなわち、方法１１００がリセットされる）。
【００８８】
一方、ＮＦＣデバイスが溶接装置の近くに留まっている限り、ユーザはライセンスされた溶接装置及び／又は追加機能を使用し続けることができる。具体的には、ステップ１１１０及び１１１４は、溶接機又は追加機能が、ライセンスされた技術として、ユーザに使用可能なままであるかどうかを常に又は定期的にチェックされるループを形成する。
【００８９】
ＭＩＧ溶接システム２００などの、ＮＦＣ対応コンポーネントを含む溶接システムにおいて、溶接システム及び基本的なコンポーネントの機能は、強化された溶接システムを提供するように拡張されることが可能である。例えば、溶接システムのコンポーネントは、ＮＦＣを使用して情報を格納するか、又は情報に関連付けられることが可能であり、この情報は、溶接システムのその他のコンポーネントによって容易にアクセスされ、使用されることが可能である。ＮＦＣタグは、ワイヤのスプールなどの「データ処理能力のない」デバイス（すなわち、専用処理装置のないデバイス）に情報を追加することに対する、低コストの解決策を提供する。パッシブＮＦＣタグの場合、専用の電源が不要であるため、タグは比較的小さい設置面積を持つことができる。さらに、溶接システムのオペレータは、容易にＮＦＣ対応コンポーネントを構成し、ＮＦＣ対応コンポーネントとデータを交換することができ、さまざまなアクセス制御機構を実装できる。さらに、溶接システムのコンポーネント及び／又はオペレータ間のＮＦＣ送信は、近接する必要があることと、暗号化及び／又はその他の保護機構の使用により、比較的安全である。したがって、本考案の一般概念は、ＭＩＧ、ＴＩＧ、ＧＭＡＷ、ガスろう付け、サブマージド・アーク溶接、フラックスコアード溶接、及び、その他の任意の溶接処理及び溶接方法を含むが、これらに限定されない、任意の数の溶接システム（自動システム、手動システム、ハード自動システム、又は半自動システムなどの）及び全ての溶接処理に及ぶ（完全には網羅されていないが、本考案が使用される可能性のある溶接処理のリストは、本明細書に完全に組み込まれている添付の付録３で提供される）。ＮＦＣは、これらの任意の溶接システム及び溶接方法の全体的機能の強化に使用できる。
【００９０】
一つの例示的な実施形態における、実施形態のソフトウェア又はロジックのフローを図１２に示す。図１２は、ＮＦＣタグ又はＮＦＣロジック、及びポータブル・コンピューティング・デバイスなどのＮＦＣ対応デバイスを使用するキャリブレーション方法を表している。
【００９１】
溶接システム（例えば、図２のシステム２００など）では、複数個の溶接装置が、溶接装置の製造現場でキャリブレーションされる必要があり、その後、多くの場合、設置場所で溶接システム２００の使用時に一緒に再キャリブレーション又はキャリブレーションされる必要がある。例えば、溶接ワイヤを引っ張るか、又は溶接ワイヤを「押す」ために使用されるモータは、キャリブレーションされるモータ速度、ギア比、電力定格、トルク、及びワイヤへの作用に関連する張力を持っている。これら全ての情報は、溶接装置の製造現場で最初にキャリブレーションされる。これらの情報は、作業現場で変更される場合もある。モータは、慣例的に「データ処理能力のない」デバイスであり、このキャリブレーション情報を、デバイス自体が容易にアクセスできる場所に格納する手段を備えていない。しかし、モータがパッシブＮＦＣタグを備えている場合、このキャリブレーション情報は、デバイス自体に格納されることが可能であり、ポータブル・コンピューティング・デバイスなどのアクティブＮＦＣデバイスによってアクセスされることが可能である。
【００９２】
図１２を参照すると、ＮＦＣ対応デバイス及びＮＦＣタグを使用して装置をキャリブレーションするための方法の例が示されている。ブロック１５０１で、１個の溶接装置が、その１個の溶接装置の製造施設内のオペレータによってキャリブレーションされる。ブロック１５０２で、ポータブル・コンピューティング・デバイスなどのＮＦＣ対応デバイスが使用され、キャリブレーション情報及び識別情報をパッシブＮＦＣタグ又はアクティブＮＦＣタグに書き込む。これは、キャリブレーション情報をポータブル・コンピューティング・デバイスに入力し、そのポータブル・コンピューティング・デバイスをＮＦＣタグの近くに運び、ポータブル・コンピューティング・デバイス内のＮＦＣアプリ又はＮＦＣソフトウェアを使用してキャリブレーションの書き込み操作を実行することによって行われる。モータ又は溶接ガン又は他の任意の一般に「データ処理能力のない」１個の溶接装置の場合、通常、タグはパッシブ・タグになる。ブロック１５０３で、タグは、モータ、溶接ガン、又は電源などの、キャリブレーション対象の１個の溶接装置に取り付けられる。このＮＦＣタグは、ワイヤ、下げ札、接着剤などを含む任意の手段で溶接装置に取り付けられることが可能である。ただし、ＮＦＣタグは、壁又は１個の装置のカバー内に形成される場合もあり、例えば、１個の装置のカバーの役割を果たす鋼板は開口部を備えることができ、この開口部に、ＮＦＣタグ或いはＮＦＣタグが取り付けられたプラスチック部品又はプラスチック・プレートが収まるか、又は成形される。
【００９３】
ここで図１３を参照すると、溶接システム全体（例えば、図２００に示された溶接システムなど）をキャリブレーションするための方法が示されている。一般的な溶接システムでは、複数個の溶接装置は、一緒にキャリブレーション又は初期化される必要がある。例えば、溶接ワイヤによって最高品質の溶接結果を得るには、溶接ガンと、ワイヤ用の押し出しモータ及びけん引モータを備えるワイヤフィーダとが一緒にキャリブレーションされて、最適な速度、トルク、及び張力を生み出す必要がある。しかし、前述したように、これらのデバイスは、多くの場合、製造時又はシステムが最初に設定されたときのいずれにおいても、初期キャリブレーション・データを格納するためのメモリ又は手段を備えていない、「データ処理能力のない」複数個の装置である。さらに、従来型のコンピュータを使用して溶接システム全体のキャリブレーション・データを格納すると、データ入力時の人為的なエラー及び人間の記憶の不確かさにおいて多くの問題が生じる。加えて、中央コンピュータ又はラップトップ・コンピュータにデータを格納すると、溶接システム及び溶接装置が実際に配置されている製造現場にいるオペレータが、キャリブレーション・データにアクセスできなくなる。
【００９４】
図１３に示された溶接システムのキャリブレーション／設定方法は、キャリブレーション・データと設定データが、システムの特定の装置に存在したままで、溶接装置の近くで即座にアクセスされることが可能なシステムを提供する。ブロック１５１０で、特定の溶接システムの全ての溶接装置が溶接システムの設置場所に到着し、オペレータが溶接装置の全てのＮＦＣタグをスキャンして、製造施設で格納されたキャリブレーション情報を取得する。このスキャン・ステップは、ポータブル・コンピューティング・デバイスを含む任意のＮＦＣ対応コンピューティング・デバイスによって実行されることが可能である。ブロック１５１１で、ポータブル・コンピューティング・デバイス上のＮＦＣアプリが使用され、スキャンで取得された全ての装置のキャリブレーション・データ及び識別データを確認し、必要に応じて、これらのデータを修正する。前述したように、現場で最適に動作するために一緒にキャリブレーションされる必要のある複数の溶接装置、又は再キャリブレーションされる必要のある任意のデバイスの場合、キャリブレーション・データは、ブロック１５１１でオペレータによってＮＦＣコンピューティング・デバイスに入力される。その後、ＮＦＣポータブル・コンピューティング・デバイスは、ブロック１５１２でキャリブレーション対象の装置のＮＦＣタグの近くに配置される。ブロック１５１３で、ポータブル・コンピューティング・デバイス上のＮＦＣソフトウェア又はＮＦＣロジックは、書き込みコマンドを実行することによって、キャリブレーション・データを現場のキャリブレーション対象のデバイスのタグに書き込む。ＮＦＣアクティブ・タグの付いた溶接装置の場合、装置自体が、ＮＦＣポータブル・コンピュータからキャリブレーション・データを受信することによって、自動的にキャリブレーションされることが可能である。パッシブ・タグの付いた装置の場合、キャリブレーション・データはタグに格納される。
【００９５】
ブロック１５１４及び１５１５は、図１３に表される方法においてループを提供し、新しい装置が溶接システムに追加され、ＮＦＣタグを使用してキャリブレーションされることを可能にする。ブロック１５１４で、新しい装置がシステムに追加された場合、ＮＦＣタグ上のキャリブレーション・データが、製造施設で実行された可能性のあるキャリブレーションに関してスキャンされる。その後、このデータはステップ１５１１で確認されるか、又は必要に応じて変更され、ブロック１５１２及び１５１３で新しい装置のＮＦＣタグに再び書き込まれる。
【００９６】
これで、キャリブレーション・データは、溶接システム（例えば、図２に示された溶接システムなど）を備える各個の装置内又は各個の装置で格納される。このキャリブレーション・データは、アクティブＮＦＣコンピューティング・デバイスを各個の装置に取り付けられたタグの近くに運ぶことによって、いつでもアクセス可能である。さらに、その他のデータ・ストレージ又はデータ入力は不要であり、特定の１個の溶接装置のキャリブレーション・データは、ＮＦＣデバイスをタグの近くに提示することによって、簡単に取得されることが可能である。システム・オペレータが望む場合は、キャリブレーション情報又は識別情報にアクセスするために、識別コード又はその他の任意の識別情報を入力する必要がない。この場合、ＮＦＣコンピューティング・デバイスとともにＮＦＣタグの近くにいるオペレータは、セキュリティ・レベルとしての役割を果たすことができる。さらに、「データ処理能力のない」デバイスのキャリブレーション・データは、デバイスのパッシブＮＦＣタグに電力を供給しなくても、デバイスに格納される。
【００９７】
別の実施形態例では、前述したこれらの利点と同じ利点をすべて実現できる。この実施形態例は、溶接システムが動作するネットワークの設定又は構成、及びネットワークへの溶接装置の接続に関連している。溶接システム（例えば、図２に示された溶接システムなど）を備える全てのデバイスは、互いに通信して１つの溶接システムとして動作するために、一種のネットワーク上又は複数のネットワーク上で、一緒にネットワーク接続される必要がある。溶接システムに使用されるネットワークの一種は、Ｌｉｎｃｏｌｎ  Ｅｌｅｃｔｒｉｃによって製造及び設計されたＡｒｃＬｉｎｋ（商標）システム（本明細書に付録２として添付された文献に記載される）である。溶接システム全体を接続し、溶接システムの機能を促進するためにＡｒｃＬｉｎｋ（商標）システムと組み合わせて使用できるその他のネットワークには、Ｗｉ−Ｆｉ、イーサネット（登録商標）、Ｂｌｕｅｔｏｏｔｈ（登録商標）、若しくはＣＡＮネットワーク、又はその他の任意の既知の通信ネットワーク又は産業ネットワークが含まれる。これらの任意のネットワークが個別に又は一緒に使用され、溶接システム・ネットワークを作成することができる。
【００９８】
１個の溶接装置がいずれかのネットワークに接続される場合、その溶接装置は、ネットワークがその特定の１個の装置を識別して位置を特定するために使用する、固有の識別手段、識別番号、又は識別アドレスを持つ必要がある。ネットワーク上の溶接装置を識別するための従来の方法は、溶接装置内に搭載されて物理的に操作され、ネットワーク上の固有の番号又はアドレスを生成するディップ・スイッチを備えることである。これらのディップ・スイッチは、手動で操作され、通常は、１個の溶接装置の内部の、シート・メタル・カバー又はその他の種類のカバーの下にある。これらのディップ・スイッチは、使用するのが難しく、変更したり操作したりするのに時間がかかる。
【００９９】
この実施形態例では、溶接装置上のＮＦＣタグ又はＮＦＣロジックが使用され、溶接装置をネットワークに接続すること、及び２個以上の溶接装置を一緒にネットワーク接続することができる。この方法を図１４に示す。この方法の最初のロジック・ブロック１５５０は、溶接システムを備えるために特定のネットワークにリンクされる溶接装置の全てのアイテムを識別する。次に、ブロック１５５１で、ポータブル・コンピューティング・デバイスを含むＮＦＣ対応コンピュータが使用され、各デバイスのＮＦＣタグ又はロジックをスキャンし、各個の溶接装置のＩＤデータを取得する。次に、ブロック１５５２でネットワークが作成される。これは、溶接装置の物理的アイテムが溶接システムの物理的位置に配置されるときに、それらのアイテムをネットワークに接続することによって手動で行われるか、又はソフトウェア・プログラムを使用して溶接システムのネットワークを構成することによって自動的に行われる。システムを設定することによって溶接装置の各位置が決定された後に、ブロック１５５３で、コンピューティング・デバイスをＮＦＣタグの近くに運び、各デバイスのＮＦＣタグへの書き込みコマンドを実行することによって、ネットワーク位置データ又はネットワーク・アドレスが、ＮＦＣ対応コンピューティング・デバイスを介して各溶接デバイスに送信される。その結果、溶接装置の全てのアイテムのネットワーク位置がＮＦＣ通信を介して取得され、各個の装置のＮＦＣタグに格納される。
【０１００】
別の実施形態例では、溶接装置の一部のアイテムは、一緒にリンクされ、互いに識別できるようにする必要があり、例えば、ロボット・コントローラは制御対象の特定のロボットにリンクされる必要があり、溶接電源はモータ・コントローラ又は特定の溶接ロボットにリンクされる必要がある。各個の装置のＮＦＣタグ又はＮＦＣロジック、及びポータブル・コンピューティング・デバイスなどのＮＦＣ対応コンピューティング・デバイスは、図１４に関して前述したのと同様の方法で使用され、これらのデバイスを一緒にリンクすることができる。
【０１０１】
この実施形態例では、ＮＦＣ対応ポータブル・コンピューティング・デバイスは、一緒にリンクされている複数のデバイスの近くに運ばれることが可能であり、それらのデバイスを一緒にリンクし、リンク先のデバイスのネットワーク上のＩＤ又はアドレスを提供するコマンドが、各デバイスのＮＦＣタグに送信され、格納されることが可能である。さらに、この方法では、ＮＦＣコンピューティング・デバイスがＮＦＣタグに物理的に近接することが必要であるため、全体的にリンクされた装置の物理的位置は、リンクされた各個の装置に提供されるデータに、手動又は自動で含められることが可能である。したがって、１個の装置のネットワーク・アドレスだけでなく、リンクされた各個の装置の物理的位置も、リンクされた各個の装置の各ＮＦＣタグに格納されることが可能である。この種の情報は、多数のロボット、溶接機、モータ、及び溶接作業が含まれるネットワークを介した溶接作業のトラブルシューティング及び制御において極めて有益である。
【０１０２】
本明細書に記載された実施形態は例に過ぎず、いかなる方法でも、本考案又は追加される特許請求の範囲を限定しない。特許請求の範囲は、それらの完全な通常の意図をすべて含み、本明細書によって限定されない。
【符号の説明】
【０１０３】
１００  溶接システム
１０２  溶接機
１０６  オペレータ
１１０  電源
１１２  入力電力
１１４  出力電力
１２０  ガス源
１２２  遮蔽ガス
１３０  ワイヤフィーダ
１３２  溶接ワイヤ
１３４  ワイヤ源
１４０  溶接トーチ
１５０  ワークピース
１５２  接地ケーブル
２００  溶接システム
２０２  溶接機
２０４  メモリ
２０６  ＮＦＣロジック
２１０  電源
２１６  ＮＦＣロジック
２２０  ガス源
２２６  ＮＦＣロジック
２３０  ワイヤフィーダ
２３４  ワイヤ源
２３６  ＮＦＣロジック
２３８  ＮＦＣロジック
２４０  溶接トーチ
２４６  ハンドル
２４８  ＮＦＣロジック
２５０  デバイス
２５６  ＮＦＣロジック
３０２  ターゲット・デバイス
３０４  ＮＦＣロジック
３０６  電磁場
３０８  ＮＦＣロジック
３１０  イニシエータ・デバイス
３１２  電源
３１４  読み取り命令
３１８  書き込み命令
３３０  ターゲット・デバイス
３３２  電源
４０２  ＮＦＣロジック
４０４  電源情報
５０２  ＮＦＣロジック
５０４  ガス源情報
６０２  ＮＦＣロジック
６０４  溶接ワイヤ情報
７０２  ＮＦＣロジック
７０４  トーチ情報
８０２  ＮＦＣロジック
８０４  電源
８０６  溶接機情報
９０２  ロジック
９０４  電源
９０６  ワイヤフィーダ情報
１０００  オペレータデバイス
１００２  ＮＦＣロジック
１１００  方法
１１０２  ステップ
１１０４  ステップ
１１０６  ステップ
１１０８  ステップ
１１１０  ステップ
１１１２  ステップ
１１１４  ステップ
１５０１  ブロック
１５０２  ブロック
１５０３  ブロック
１５１０  ブロック
１５１１  ブロック
１５１２  ブロック
１５１３  ブロック
１５１４  ブロック
１５１５  ブロック
１５５０  ブロック
１５５１  ブロック
１５５２  ブロック
１５５３  ブロック
【図１】
0003204855.tif 000003
【図２】
0003204855.tif 000004
【図３Ａ】
0003204855.tif 000005
【図３Ｂ】
0003204855.tif 000006
【図４】
0003204855.tif 000007
【図５】
0003204855.tif 000008
【図６】
0003204855.tif 000009
【図７】
0003204855.tif 000010
【図８】
0003204855.tif 000011
【図９】
0003204855.tif 000012
【図１０】
0003204855.tif 000013
【図１１】
0003204855.tif 000014
【図１２】
0003204855.tif 000015
【図１３】
0003204855.tif 000016
【図１４】
0003204855.tif 000017
【手続補正書】
【提出日】平成28年4月20日(2016.4.20)
【手続補正１】
【補正対象書類名】実用新案登録請求の範囲
【補正対象項目名】全文
【補正方法】変更
【補正の内容】
【実用新案登録請求の範囲】
【請求項１】
溶接システムであって、
溶接機、
ワイヤフィーダ、
溶接トーチ、
前記溶接機に取り付けられ、前記溶接機のキャリブレーション・データを示す第１信号を生成する第１ＮＦＣタグ、
前記ワイヤフィーダに取り付けられ、前記ワイヤフィーダのキャリブレーション・データを示す第２信号を生成する第２ＮＦＣタグ、及び
前記溶接トーチに取り付けられ、前記溶接トーチのキャリブレーション・データを示す第３信号を生成する第３ＮＦＣタグ、
を有する、
溶接システム。
【請求項２】
前記第１ＮＦＣタグがパッシブである、又は前記第１ＮＦＣタグがアクティブである、請求項１に記載の溶接システム。
【請求項３】
溶接ワイヤを前記溶接トーチに向けて押す又は前記溶接トーチから引っ張るためのモータを更に備える、請求項１又は２に記載の溶接システム。
【請求項４】
パッシブである第４ＮＦＣタグが前記モータに取り付けられ、前記モータのキャリブレーション・データを示す第４信号を生成する、請求項３に記載の溶接システム。
【請求項５】
前記溶接機の前記キャリブレーション・データが、ポータブル・コンピューティング・デバイスを使用して前記第１ＮＦＣタグに書き込まれる、請求項１から４のいずれか一項に記載の溶接システム。
【請求項６】
遮蔽ガス源を更に備える、請求項１から５のいずれか一項に記載の溶接システム。
【請求項７】
第４ＮＦＣタグが前記遮蔽ガス源に取り付けられ、前記遮蔽ガス源（２２０）のキャリブレーション・データを示す第４信号を生成する、請求項６に記載の溶接システム。